(57)【要約】【課題】本発明は、携帯端末におけるデータ送受信管理装置及び方法を提供する。【解決手段】本発明は、メモリにデータ送受信のヒストリリストから選択されたデータを表示するための識別情報を格納し、制御部が送受信されたデータに対する識別情報を生成して格納し、データ送受信のヒストリリストから選択されたデータの識別情報に基づいて選択されたデータの元データを表示することを特徴とする。【選択図】図２
2013055655.tif 000002
【特許請求の範囲】
【請求項１】
携帯端末のデータ送受信管理装置であって、
データ送受信のヒストリリストから選択されたデータを表示するための識別情報を格納するメモリと、
送受信されたデータに対する識別情報を生成して格納し、データ送受信のヒストリリストから選択されたデータの識別情報に基づいて前記選択されたデータの元のデータを表示する制御部と、
を含むことを特徴とする装置。
【請求項２】
前記識別情報は、アプリケーション情報及びデータのアドレス情報を含み、統一リソース識別子(ＵＲＩ)を含むことを特徴とする請求項１に記載の装置。
【請求項３】
前記アプリケーション情報は、データ送受信のヒストリリストから選択されたデータを実行できるアプリケーションタイプを含み、
前記データアドレス情報は、データ送受信のヒストリリストから選択されたデータの元のデータが格納されているメモリのデータのデータベース(ＤＢ)に対するアドレス情報を含むことを特徴とする請求項２に記載の装置。
【請求項４】
前記メモリは、複数タイプのデータを格納するデータＤＢと、前記識別情報を格納するヒストリＤＢとを含むことを特徴とする請求項１に記載の装置。
【請求項５】
前記制御部は、
データの送信が選択される場合、前記選択されたデータの識別情報を生成して前記送信データの識別情報として前記メモリのヒストリＤＢに格納し、前記選択されたデータの元のデータをテンポラリファイルで生成して送信した後に前記テンポラリファイルを削除することを特徴とする請求項１に記載の装置。
【請求項６】
前記制御部は、
前記選択されたデータタイプに基づいてプリケーション情報を検出し、前記選択されたデータの元のデータが格納されているメモリのデータＤＢに対するアドレスに従ってデータアドレス情報を検出し、前記検出されたアプリケーションの情報及び前記検出されたデータアドレス情報を含む前記識別情報を生成することを特徴とする請求項５に記載の装置。
【請求項７】
前記制御部は、
テンポラリファイルで生成されたデータが受信されると、前記受信されたデータを前記メモリのデータＤＢに格納し、前記受信データに従って前記識別情報を生成して前記受信データの識別情報として前記メモリのヒストリＤＢに格納し、前記受信されたテンポラリファイルを削除することを特徴とする請求項１に記載の装置。
【請求項８】
前記制御部は、
前記受信されたデータタイプに基づいてプリケーション情報を検出し、前記受信されたデータの元のデータが格納されているメモリのデータＤＢに対するアドレスに従ってデータアドレス情報を検出し、前記検出されたアプリケーション情報及び前記検出されたデータアドレス情報を含む前記識別情報を生成することを特徴とする請求項７に記載の装置。
【請求項９】
前記制御部は、
データ送受信のヒストリリストから選択されたデータの識別情報を検出し、前記識別情報に含まれたアプリケーション情報に従って前記選択されたデータを実行できる該当アプリケーションを検出し、前記識別情報に含まれたデータアドレス情報に基づいて前記メモリのデータＤＢから前記選択されたデータの元のデータ検出し、前記検出されたアプリケーションを実行して前記選択されたデータの元のデータを表示することを特徴とする請求項１に記載の装置。
【請求項１０】
携帯端末のデータ送受信管理方法であって、
データの送受信が遂行される場合にデータ送受信のヒストリリストから選択されたデータを表示するための識別情報を生成して格納するステップと、
前記データ送受信のヒストリリストからデータが選択される場合、前記選択されたデータの識別情報に基づいて前記選択されたデータの元のデータを表示するステップと、
を有することを特徴とする方法。
【請求項１１】
前記識別情報は、アプリケーション情報及びデータのアドレス情報を含み、統一リソース識別子(ＵＲＩ)を含むことを特徴とする請求項１０に記載の方法。
【請求項１２】
前記アプリケーション情報は、データ送受信のヒストリリストから選択されたデータを実行できるアプリケーションタイプを含み、
前記データアドレス情報は、データ送受信のヒストリリストから選択されたデータの元のデータが格納されているメモリのデータのデータベース(ＤＢ)に対するアドレス情報を含むことを特徴とする請求項１１に記載の方法。
【請求項１３】
前記格納するステップは、
データの送信が選択される場合、前記選択されたデータの識別情報を生成して前記送信データの識別情報として格納するステップと、
前記選択されたデータの元のデータをテンポラリファイルで生成して送信した後に前記テンポラリファイルを削除するステップと、
を有することを特徴とする請求項１０に記載の方法。
【請求項１４】
前記格納するステップは、
データの送信が選択される場合、前記選択されたデータのタイプに基づいてアプリケーション情報を検出するステップと、
前記選択されたデータの元のデータが格納されているメモリのデータＤＢに対するアドレスに従ってデータアドレス情報を検出するステップと、
前記検出されたアプリケーション情報及び前記検出されたデータアドレス情報を含む前記識別情報を生成するステップと、
を有することを特徴とする請求項１３に記載の方法。
【請求項１５】
前記格納するステップは、
テンポラリファイルで生成されたデータが受信されると、前記受信されたデータをメモリのデータＤＢに格納するステップと、
前記受信されたデータに基づいて前記識別情報を生成して前記受信されたデータの識別情報としてメモリのヒストリＤＢに格納するステップと、
前記受信されたテンポラリファイルを削除するステップと、
を有することを特徴とする請求項１０に記載の方法。
【請求項１６】
前記識別情報を生成して前記ヒストリＤＢに格納するステップは、
前記受信されたデータのタイプに基づいてアプリケーション情報を検出するステップと、
前記受信されたデータの元のデータが格納されたメモリのデータＤＢに対するアドレスに従ってデータアドレス情報を検出するステップと、
前記検出されたアプリケーション情報及び前記検出されたデータアドレス情報を含む前記識別情報を生成するステップと、
を有することを特徴とする請求項１５に記載の方法。
【請求項１７】
前記元のデータを表示するステップは、
前記データ送受信のヒストリリストからデータが選択される場合、前記選択されたデータの識別情報を検出するステップと、
前記識別情報に含まれたアプリケーション情報に基づいて前記選択されたデータを実行できるアプリケーションを検出するステップと、
前記識別情報に含まれたデータアドレス情報に基づいてメモリのデータＤＢから前記選択されたデータの元のデータを検出するステップと、
前記検出されたアプリケーションを実行して前記選択されたデータの元のデータを表示するステップと、
を有することを特徴とする請求項１０に記載の方法。
【発明の詳細な説明】
【技術分野】
【０００１】
本発明は、携帯端末のデータ送受信管理装置及び方法に関するもので、特に携帯端末のデータ送受信のヒストリリストからデータタイプに関係なく選択されたデータを見ることができるデータ送受信管理装置及び方法に関する。
【背景技術】
【０００２】
Ｗｉ-Ｆｉ及びブルートゥースのように無線通信をサポートする携帯端末の間では多様なタイプのデータを送受信することができる。ユーザーがデータ送受信に対するヒストリを確認しようとする場合、携帯端末は、送受信データをデータベース(ＤＢ)に格納し、この格納されたデータをデータ送受信ヒストリリストとして提供する。
【０００３】
多様なアプリケーションは、無線通信をサポートする携帯端末に対して提供される。これら多様なアプリケーションの実行中に、携帯端末は、多様なタイプのデータを格納することができる。例えば、文字メッセージ、時間情報、及びカレンダー情報などがファイルタイプでないデータとして格納され、あるいはビデオ、写真、音楽などがファイルタイプのデータとして格納され得る。
【０００４】
アプリケーションデータが送信のために選択される場合、選択されたデータ、すなわち非ファイルタイプのデータ又はファイルタイプのデータ両方ともは、テンポラリファイルで生成されて通信している相手の携帯端末に伝送される。元のデータが格納されている生成されたテンポラリファイルは、ユーザーによってデータ送受信のヒストリリストからデータが選択される場合、元のデータを表示するためにヒストリＤＢに格納されなければならない。
【０００５】
テンポラリファイルで生成されたデータが相手の携帯端末から受信される場合でも、テンポラリファイルは、ユーザーによってデータ送受信のヒストリリストからデータが選択される場合に元のデータを表示するためにヒストリＤＢに格納されなければならない。
【０００６】
データがヒストリアプリケーションモードで表示されるデータ送受信のヒストリリストから選択されると、元のデータは、ヒストリＤＢに格納されているテンポラリファイルを用いて表示され、このテンポラリファイルは、選択されたデータに対応する。
【０００７】
ヒストリＤＢに格納されているテンポラリファイルで生成された元のデータがファイルタイプのデータである場合、テンポラリファイルの元のデータは表示できる。一方、ヒストリＤＢに格納されたデータがファイルタイプのデータでない場合には、テンポラリファイルの元のデータは表示できない。
【０００８】
所望するデータを見るために、ユーザーは、ヒストリアプリケーションモードを終了した後にアプリケーションモードに進入し、該当データを選択しなければならない。
【０００９】
元のデータを有するテンポラリファイルは、データ送受信のヒストリリストのためのヒストリＤＢに格納されている。その結果、同一のデータがデータＤＢとヒストリＤＢに重複して格納され、ヒストリＤＢに格納されたテンポラリファイルの削除時点が不明確であり、それによってメモリの浪費をもたらすという問題点があった。
【先行技術文献】
【特許文献】
【００１０】
【特許文献１】米国特許第７５８７４９７号明細書
【発明の概要】
【発明が解決しようとする課題】
【００１１】
したがって、本発明は上記した従来技術の問題点に鑑みてなされたものであって、その目的は、携帯端末のデータ送受信のヒストリリストからデータタイプに関係なく選択されたデータを見ることができる携帯端末におけるデータ送受信管理装置及び方法を提供することにある。
【００１２】
また、本発明の目的は、携帯端末のデータ送受信のヒストリリストから選択されたデータを直ちに見ることができるようにアプリケーションを実行できるユーザーインターフェース(ＵＩ)を提供する携帯端末におけるデータ送受信管理装置及び方法を提供することにある。
【００１３】
本発明の他の目的は、携帯端末において追加的なメモリ使用なしにデータ送受信のヒストリリストを管理できる携帯端末におけるデータ送受信管理装置及び方法を提供することにある。
【００１４】
さらに、本発明の目的は、携帯端末のデータタイプに関係なく単一化したフォーマットでヒストリＤＢに自動的にデータ送受信のヒストリリストから選択されたデータを格納及び管理できる携帯端末におけるデータ送受信管理装置及び方法を提供することにある。
【００１５】
なお、本発明の他の目的は、携帯端末に多様なタイプのデータが追加されてもデータＤＢ又は要素間の相関関係を損傷することなく、データの送受信及び選択されたデータを直ちに見ることができるデータ送受信のヒストリリストを提供する携帯端末におけるデータ送受信管理装置及び方法を提供することにある。
【課題を解決するための手段】
【００１６】
上記のような目的を達成するために、本発明の一態様によれば、携帯端末のデータ送受信管理装置が提供される。その装置は、データ送受信のヒストリリストから選択されたデータを表示するための識別情報を格納するメモリと、送受信されたデータに対する識別情報を生成して格納し、データ送受信のヒストリリストから選択されたデータの識別情報に基づいて選択されたデータの元のデータを表示する制御部とを含む。
【００１７】
本発明の他の態様によれば、携帯端末のデータ送受信管理方法が提供される。その方法は、データの送受信が遂行される場合にデータ送受信のヒストリリストから選択されたデータを表示するための識別情報を生成して格納するステップと、データ送受信のヒストリリストからデータが選択される場合、選択されたデータの識別情報に基づいて選択されたデータの元のデータを表示するステップとを有する。
【発明の効果】
【００１８】
本発明は、携帯端末におけるデータ送受信管理装置及び方法を提供することによって、データ送受信のヒストリリストでデータタイプに関係なく、アプリケーションをビューア(viewer)として直ちに実行して選択されたデータを表示することができる。また、本発明は、ヒストリＤＢには実際データでなく識別情報としてＵＲＩのみが格納され、それによってメモリの浪費なしに送受信データを管理できる効果もある。さらに、本発明は、携帯端末に多様なタイプのデータが追加されても、データＤＢ又は要素間の相関関係の損傷なしに、データの送受信及び選択されたデータを直ちに見ることができるデータ送受信ヒストリリストを提供する効果もある。
【００１９】
本発明による実施形態の上記及び他の態様、特徴、及び利点は、添付の図面と共に述べる以下の詳細な説明から、一層明らかになるはずである。
【図面の簡単な説明】
【００２０】
【図１】本発明の実施形態による携帯端末の構成図である。
【図２】本発明の実施形態による携帯端末におけるデータ送受信のヒストリリストを生成する手順を示すフローチャートである。
【図３】本発明の実施形態による携帯端末におけるデータ送受信のヒストリリストから選択されるデータを表示する手順を示すフローチャートである。
【発明を実施するための形態】
【００２１】
以下、本発明の望ましい実施形態を添付の図面を参照して詳細に説明する。
【００２２】
次の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００２３】
図１は、本発明の実施形態による携帯端末の構成を示す。
【００２４】
図１を参照すると、ＲＦ(Radio Frequency)部１２３は、携帯端末の無線通信を遂行する。ＲＦ部１２３は、送信信号の周波数をアップコンバート(up-converting)し、アップコンバートした信号を増幅するＲＦ送信器と、受信信号を低雑音増幅して周波数をダウンコンバートするＲＦ受信器とを含む。データ処理部１２０は、送信信号を符号化及び変調するデータ送信器と、受信信号を復調及び復号化するデータ受信器とを含む。すなわち、データ処理部１２０は、モデム及びコーデックを含むことができる。コーデックは、パケットデータのようなデータを処理するデータコーデックと、音声のようなオーディオ信号を処理するオーディオコーデックとを含む。オーディオ処理部１２５は、データ処理部１２０のオーディオコーデックから出力される受信オーディオ信号を再生したり、マイクロホンにより発生される送信オーディオ信号をデータ処理部１２０のオーディオコーデックに伝送したりする。
【００２５】
キー入力部１２７は、数字及び文字情報を入力するためのキー及び各種機能を設定するための機能キーを備える。
【００２６】
メモリ１３０は、プログラムメモリ及びデータメモリを含むことができる。プログラムメモリは、携帯端末の一般的動作を制御するためのプログラム、及び本発明の実施形態によるデータ送受信のヒストリリストからデータタイプに関係なく選択されたデータの元のデータを直ちに表示するように制御するプログラムを格納できる。データメモリは、プログラムの遂行中に発生されるデータを一時格納する。
【００２７】
メモリ１３０は、複数のデータタイプを格納するデータベース(DataBase：ＤＢ)１３１と、データ送受信のヒストリリストから選択されたデータを表示するための識別情報を格納するヒストリＤＢ１３２とを含む。
【００２８】
ヒストリＤＢ１３２に格納される識別情報は、アプリケーション情報及びデータのアドレス情報を含み、ＵＲＩ(Uniform  Resource  Identifier)方法で生成及び格納される。
【００２９】
識別情報に含まれるアプリケーション情報は、データ送受信のヒストリリストから選択されたデータを実行できるアプリケーションのタイプを含む。識別情報に含まれるデータアドレス情報は、データ送受信のヒストリリストから選択されるデータの元のデータが格納されるメモリ１３０のデータＤＢ１３１に対するアドレス情報を含む。
【００３０】
制御部１１０は、携帯端末の全体動作を制御する。
【００３１】
本発明の実施形態によると、制御部１１０は、送受信されるデータに対する識別情報を生成して格納し、データ送受信のヒストリリストから選択されたデータの識別情報に従って選択されたデータの元のデータを表示する。
【００３２】
アプリケーションモードで該当データの送信が選択される場合、制御部１１０は、選択されたデータのタイプに基づいてアプリケーションに関する情報を検出し、選択されたデータの元のデータが格納されるメモリ１３０のデータＤＢ１３１に対するアドレスに従ってデータのアドレス情報を検出する。制御部１１０は、検出されたアプリケーション情報及び検出されたデータのアドレス情報を含む識別情報を生成し、この生成した識別情報を送信データの識別情報としてメモリ１３０のヒストリＤＢ１３２に格納する。
【００３３】
制御部１１０は、生成された識別情報がメモリ１３０のヒストリＤＢ１３２に格納されている場合、テンポラリファイルで選択された送信データの元のデータを生成して相手の携帯端末に送信した後、テンポラリファイルを削除する。
【００３４】
また、アプリケーションモードでテンポラリファイルで生成された受信データが選択される場合、制御部１１０は、受信データ、すなわちテンポラリファイルで生成された元のデータをメモリ１３０のデータＤＢ１３１に格納する。制御部１１０は、受信データのタイプに基づいてアプリケーションに関する情報を検出し、受信データの元のデータが格納されるメモリ１３０のデータＤＢ１３１に対するアドレスに従ってデータのアドレス情報を検出する。制御部１１０は、検出されたアプリケーション情報及び検出されたデータアドレス情報を含む識別情報を生成して受信データの識別情報としてメモリ１３０のヒストリＤＢ１３２に格納する。
【００３５】
生成された識別情報がメモリ１３０のヒストリＤＢ１３２に格納されると、制御部１１０は、受信されたテンポラリファイルを削除する。
【００３６】
制御部１１０は、ヒストリアプリケーションモードのデータ送受信のヒストリリストから選択されたデータの識別情報をメモリ１３０のヒストリＤＢ１３２から検出する。また、制御部１１０は、検出された識別情報に含まれるアプリケーションの情報に基づいて選択されたデータを実行できるアプリケーションを検出し、識別情報に含まれたデータのアドレス情報に従ってメモリ１３０のデータＤＢ１３１から選択されたデータの元のデータを検出する。その後、制御部１１０は、検出されたアプリケーションを実行して選択されたデータの元のデータを表示する。
【００３７】
画像データを撮影するカメラ部１４０は、撮影された光信号を電気信号に変換するカメラセンサーと、カメラセンサーから撮影されるアナログ画像信号をデジタルデータに変換する信号処理部とを含む。カメラセンサーは、ＣＣＤ(Charge-Coupled Device)又はＣＭＯＳ(Complementary Metal-Oxide-Semiconductor)を含み、信号処理部はＤＳＰ(Digital  Signal  Processor）を含むことができる。カメラセンサー及び信号処理部は、一体化して又は別々にして実現することができる。
【００３８】
画像処理部１５０は、カメラ部１４０から出力される画像信号をディスプレイ部１６０に表示するためのＩＳＰ(Image  Signal  Processing)を遂行すする。このＩＳＰは、ガンマ補正、補間(interpolation)、空間的変化、イメージ効果、イメージスケーリング、ＡＷＢ(Automatic White Balance)、ＡＥ(Automatic Exposure)、及びＡＦ(Automatic Focusing)のような機能を遂行する。したがって、画像処理部１５０は、カメラ部１４０から出力される画像信号をフレーム単位で処理し、ディスプレイ部１６０の特性及びサイズに従ってフレーム画像データを出力する。また、画像処理部１５０は、予め設定された方式でディスプレイ部１６０に表示されるフレーム画像データを圧縮し、圧縮されたフレーム画像データを元のフレーム画像データに復元するビデオコーデックを含む。ビデオコーデックは、ＪＰＥＧコーデック、ＭＰＥＧ４コーデック、及びウェーブレット(Wavelet)コーデックを含むことができる。画像処理部１５０は、オンスクリーンディスプレイ(On  Screen  Display：ＯＳＤ)機能を有し、制御部１１０の制御下に表示される画面のサイズに従ってＯＳＤデータを出力できる。
【００３９】
ディスプレイ部１６０は、上記スクリーンに、画像処理部１５０から出力される画像信号及び制御部１１０から出力されるユーザーデータを表示する。ディスプレイ部１６０は、ＬＣＤ(Liquid Crystal Display)を含むことができる。この場合、ディスプレイ部１６０は、ＬＣＤ制御部、画像データが格納可能なメモリ、及びＬＣＤ素子(panel)を含むことができる。タッチスクリーン方式で実現する場合、ＬＣＤは、入力部として動作でき、ディスプレイ部１６０にキー入力部１２７のようなキーを表示することができる。
【００４０】
携帯端末におけるデータ送受信のヒストリ管理動作の実施形態について、図２及び図３を参照して説明する。
【００４１】
図２は、本発明の実施形態による携帯端末におけるデータ送受信のヒストリリストを生成する手順を示す。
【００４２】
この手順は、以下に図１を参照して詳細に説明する。
【００４３】
図２を参照すると、携帯端末がアプリケーションモードにあるステップ２０１で、データは、アプリケーションの実行により格納される。ステップ２０２で、格納されたデータの中から特定データの伝送が選択される場合、制御部１１０は、ステップ２０３で、選択された送信データの識別情報を生成して格納する。
【００４４】
ステップ２０３で、制御部１１０は、選択された送信データのタイプに基づいてデータを実行できるアプリケーションのタイプを含むアプリケーション情報を検出する。ステップ２０３で、制御部１１０は、選択された送信データの元のデータが格納されたメモリ１３０のデータＤＢ１３１の格納アドレスをデータのアドレス情報として検出する。ステップ２０３で、制御部１１０は、検出されたアプリケーションの情報及び検出されたデータのアドレス情報に基づいて識別情報を生成し、この生成した識別情報を選択された送信データの識別情報としてメモリ１３０のヒストリＤＢ１３２に格納する。
【００４５】
すると、制御部１１０は、ステップ２０４で、選択された送信データの元のデータをテンポラリファイルで生成して通信している相手の携帯端末に伝送する。
【００４６】
ステップ２０４で、テンポラリファイルが相手の携帯端末に伝送されると、制御部１１０は、ステップ２０５でテンポラリファイルを削除する。
【００４７】
ステップ２０２でデータ送信が選択されない場合には、制御部１１０は、ステップ２０６で、テンポラリファイルで生成された受信データが選択されるか否かを判定する。ステップ２０６で、上記受信データが選択される場合、制御部１１０は、ステップ２０７で、受信データ、すなわちテンポラリファイルで生成された元の受信データをメモリ１３０のデータＤＢ１３１に格納する。
【００４８】
制御部１１０は、ステップ２０８で、受信されたデータの識別情報を生成して格納する。
【００４９】
ステップ２０８で、制御部１１０は、受信されたデータのタイプに従ってデータが実行可能なアプリケーションのタイプを含むアプリケーションの情報を検出する。ステップ２０８で、制御部１１０は、ステップ２０７で受信データが格納されているメモリ１３０のデータＤＢ１３１の格納アドレスをデータのアドレス情報として検出する。ステップ２０８で、制御部１１０は、検出されたアプリケーション情報及び検出されたデータのアドレス情報に基づいて識別情報を生成し、この生成した識別情報を受信されたデータの識別情報としてメモリ１３０のヒストリＤＢ１３２に格納する。本発明の実施形態では、識別情報は、ＵＲＩを含むことができる。
【００５０】
ステップ２０８で、識別情報が受信データの識別情報としてメモリ１３０のヒストリＤＢ１３２に格納されると、制御部１１０は、ステップ２０９で、受信されたテンポラリファイルを削除する。
【００５１】
本発明の実施形態では、データの識別情報はデータの送受信時ごとに生成及び格納されるが、データ送信中に伝送されるテンポラリファイルに識別情報のアプリケーション情報のみが追加され得る。
【００５２】
したがって、テンポラリファイルを受信する携帯端末は、受信データの識別情報のアプリケーション情報をテンポラリファイルから検出できる。
【００５３】
図３は、本発明の実施形態による携帯端末におけるデータ送受信のヒストリリストで選択されたデータを表示する手順を示す。
【００５４】
この手順は、以下に図１を参照して詳細に説明する。
【００５５】
図３を参照すると、携帯端末は、ステップ３０１で、ヒストリアプリケーションモードにある。ステップ３０２で、データ送受信のヒストリリストが選択される場合、制御部１１０は、ステップ３０３で、データの送受信ヒストリを示すデータ送受信のヒストリリストを表示する。一方、ステップ３０２で、データ送受信のヒストリリストが選択されない場合には、携帯端末は他の機能を遂行する。
【００５６】
ステップ３０３でデータ送受信のヒストリリストが表示されている間に、ステップ３０４でデータが選択される場合、制御部１１０は、ステップ３０５で、メモリ１３０のヒストリＤＢ１３２から選択されたデータの識別情報を検出する。本発明の実施形態では、識別情報はＵＲＩを含むことができる。
【００５７】
制御部１１０は、ステップ３０６で、検出された識別情報に含まれるアプリケーション情報に基づいて選択されたデータを実行できるアプリケーションタイプを検出し、検出された識別情報に含まれるデータのアドレス情報に従って、選択されたデータの元のデータが格納されているメモリ１３０のデータＤＢ１３１の格納アドレスを検出する。
【００５８】
制御部１１０は、ステップ３０６で検出されたアプリケーションを実行して、ステップ３０７で、ステップ３０６で検出された選択されたデータの元のデータを表示する。
【００５９】
ステップ３０６で、選択されたデータを実行できる該当アプリケーションタイプが携帯端末により検出されないと、制御部１１０は、アプリケーションをダウンロードする。
【００６０】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【００６１】
１１０  制御部
１２０  データ処理部
１２３  ＲＦ(Radio Frequency)部
１２５  オーディオ処理部
１２７  キー入力部
１３０  メモリ
１３１  データＤＢ
１３２  ヒストリＤＢ
１４０  カメラ部
１５０  画像処理部
１６０  ディスプレイ部
【図１】
2013055655.tif 000003
【図２】
2013055655.tif 000004
【図３】
2013055655.tif 000005